(57)【要約】【課題】内容物の計量を容易に行うことができる計量キャップを提供する。【解決手段】内容物を収容する有底筒状の容器１の口部に着脱自在に装着される有頂筒状のキャップ本体１１と、内容物の容量を計量可能な計量カップ１２と、が一体化された計量キャップ１０であって、計量カップがキャップ本体の天板部２１に連設されるとともに、側方に計量カップの開口部３０が開口している。【選択図】図１
2010274978.tif 000002
【特許請求の範囲】
【請求項１】
内容物を収容する有底筒状の容器の口部に着脱自在に装着される有頂筒状のキャップ本体と、
前記内容物の容量を計量可能な計量カップと、が一体化された計量キャップであって、
前記計量カップが前記キャップ本体の天板部に連設されるとともに、側方に前記計量カップの開口部が開口していることを特徴とする計量キャップ。
【請求項２】
前記計量カップに、計量される容量の大きさごとの段差部が形成されていることを特徴とする請求項１に記載の計量キャップ。
【請求項３】
前記計量カップに、前記開口部を開閉可能な蓋部材が設けられていることを特徴とする請求項１または２に記載の計量キャップ。
【請求項４】
前記キャップ本体の内周面は、前記容器と螺合されるネジが形成されたネジ部と、前記ネジが形成されていない平滑部と、を有し、
前記平滑部に、前記計量カップで計量可能な容量よりも多い量を計量可能な計量ラインが形成されていることを特徴とする請求項１〜３のいずれかに記載の計量キャップ。
【発明の詳細な説明】
【技術分野】
【０００１】
本発明は、内容物を収容する容器の口部に装着される計量キャップに関するものである。
【背景技術】
【０００２】
従来、この種の計量キャップとして、例えば特許文献１に示されるように、内容物を収容する有底筒状の容器の口部に装着される透明または半透明の有頂筒状の部材であって、その外周面に目盛りが付されたものが知られている。この計量キャップで内容物を計量する際には、計量キャップを容器から取り外した後、計量キャップの天板部を下側にした状態で、計量キャップの外周面に付された所定量の目盛りまで内容物を注入することで計量している。
ところで、前述のように計量キャップの外部に目盛りを付す場合には、透明または半透明の材料を用いて計量キャップを製造する必要があり、使用できる材料の種類に制限が生じる。
【先行技術文献】
【特許文献】
【０００３】
【特許文献１】特開２００５−２６３２４２号公報
【発明の概要】
【発明が解決しようとする課題】
【０００４】
しかしながら、不透明な材料で計量キャップを製造する場合には、目盛りは計量キャップの内周面に付す必要がある。また、前述の計量キャップにおいては、計量キャップと容器とは螺合されるため、計量キャップの内周面にはネジ部が形成されている。そのため、ネジ部と目盛りとが、比較的深さの深い計量キャップの内周面に互いに重なり合って形成されていて、目盛りが読み取りにくく、計量しづらいという問題がある。また、容器に螺着する計量キャップの周壁部分に目盛りを付すため、この周壁部分の形状が制約されるおそれもある。
【０００５】
そこで、本発明は、上記事情を鑑みてなされたものであり、内容物の計量を容易に行うことができる計量キャップを提供するものである。
【課題を解決するための手段】
【０００６】
本発明に係る計量キャップは、内容物を収容する有底筒状の容器の口部に着脱自在に装着される有頂筒状のキャップ本体と、前記内容物の容量を計量可能な計量カップと、が一体化された計量キャップであって、前記計量カップが前記キャップ本体の天板部に連設されるとともに、側方に前記計量カップの開口部が開口していることを特徴としている。
【０００７】
このような特徴により、計量キャップで内容物を計量する際に、容器に係合する例えばネジ部や凹凸部などの係合部が形成されていない計量カップを用いることができる。したがって、計量カップに付された目盛りなどが前記係合部と干渉することがなく、内容物の充填容量が読み取り易くなる。つまり、内容物の計量を容易に行うことができる。
また、計量カップの開口部が側方に開口するように構成したため、計量キャップで内容物を計量する際には、キャップ本体を左右いずれかの手で把持し、もう一方の手で容器を持った状態で内容物を計量カップ内に注入することができる。つまり、安定した状態で内容物を計量することができる。なお、計量する際には、キャップ本体の軸方向が水平方向を向くように配置するとともに、計量カップの開口部が鉛直上方を向くように配置すればよい。
さらに、計量カップの開口部が側方に開口するように構成したため、製品を販売するために店舗に陳列しても開口部は水平方向を向いている。したがって、製品にシュリンク包装を施さなくても計量カップ内に埃などが入り込むのを抑制することができる。
【０００８】
また、本発明に係る計量キャップは、前記計量カップに、計量される容量の大きさごとの段差部が形成されていることが好ましい。
【０００９】
これにより、内容物が段差部まで注入されることにより所定量注入されたことを目視することができる。したがって、内容物の計量をさらに容易に行うことができる。
【００１０】
また、本発明に係る計量キャップは、前記計量カップに、前記開口部を開閉可能な蓋部材が設けられていることが好ましい。
【００１１】
これにより、計量カップの未使用時に蓋部材で開口部を閉塞することができる。したがって、計量カップ内に埃などが入り込むのをより確実に防止することができる。
【００１２】
また、本発明に係る計量キャップは、前記キャップ本体の内周面は、前記容器と螺合されるネジが形成されたネジ部と、前記ネジが形成されていない平滑部と、を有し、前記平滑部に、前記計量カップで計量可能な容量よりも多い量を計量可能な計量ラインが形成されていることが好ましい。
【００１３】
これにより、キャップ本体でも内容物の計量を行うことができる。したがって、計量可能な容量のバリエーションを増やすことができる。なお、この場合、キャップ本体の平滑部に計量ラインを形成するため、従来のようにネジと計量ラインとが干渉することはなく、計量ラインは容易に目視することができる。
【発明の効果】
【００１４】
本発明に係る計量キャップによれば、計量キャップで内容物を計量する際に、容器に係合する例えばネジ部や凹凸部などの係合部が形成されていない計量カップを用いることができる。したがって、計量カップに付された目盛りなどが前記係合部と干渉することがなく、内容物の充填容量が読み取り易くなる。つまり、内容物の計量を容易に行うことができる。
【図面の簡単な説明】
【００１５】
【図１】本発明の実施形態における計量キャップの正面図（蓋部材開状態）である。
【図２】図１のＡ−Ａ線に沿う断面図である。
【図３】本発明の実施形態における計量キャップの背面図（蓋部材開状態）である。
【図４】本発明の実施形態における計量キャップの斜視図（蓋部材開状態）である。
【図５】本発明の実施形態における計量キャップを用いて内容物の計量を行っている状態を示す断面図であり、小量（例えば１ｍｌ）の内容物Ｘを計量する場合の図である。
【図６】本発明の実施形態における計量キャップを用いて内容物の計量を行っている状態を示す断面図であり、中量（例えば５ｍｌ）の内容物Ｘを計量する場合の図である。
【図７】本発明の実施形態における計量キャップを用いて内容物の計量を行っている状態を示す断面図であり、大量（例えば１０ｍｌ）の内容物Ｘを計量する場合の図である。
【図８】本発明の実施形態における計量キャップの別の態様を示す正面図（蓋部材開状態）である。
【図９】図８のＢ−Ｂ線に沿う断面図である。
【図１０】本発明の実施形態における計量キャップの別の態様を示す背面図（蓋部材開状態）である。
【図１１】本発明の実施形態における計量キャップの別の態様を示す斜視図（蓋部材開状態）である。
【図１２】本発明の実施形態における別の態様の計量キャップを用いて内容物の計量を行っている状態を示す断面図であり、小量（例えば１ｍｌ）の内容物Ｘを計量する場合の図である。
【図１３】本発明の実施形態における別の態様の計量キャップを用いて内容物の計量を行っている状態を示す断面図であり、中量（例えば５ｍｌ）の内容物Ｘを計量する場合の図である。
【図１４】本発明の実施形態における別の態様の計量キャップを用いて内容物の計量を行っている状態を示す断面図であり、大量（例えば１０ｍｌ）の内容物Ｘを計量する場合の図である。
【発明を実施するための形態】
【００１６】
以下、本発明に係る計量キャップの実施形態について、図面に基づいて説明する。なお、本実施形態では、有底筒状の容器１と、容器１の口部２に着脱可能に装着される計量キャップ１０と、を備えている。これら容器１および計量キャップ１０はそれぞれ共通軸上に配設されている。以下、この共通軸を軸線Ｌ１とし、軸線Ｌ１方向に沿って計量キャップ１０の天板部２１側を上側とし、容器１の図示されない底部側を下側とする。また、軸線Ｌ１に直交する方向を「径方向」とし、軸線Ｌ１回りの方向を「周方向」とする。
【００１７】
図１〜図４に示すように、計量キャップ１０は、液状の内容物Ｘを収容する有底筒状の容器１の口部２に装着されるキャップ本体１１と、内容物Ｘの容量を計量可能な計量カップ１２と、が一体に成形されている。なお、キャップ本体１１および計量カップ１２はそれぞれ別体として成形して組み合わせてもよい。
【００１８】
キャップ本体１１は軸線Ｌ１を軸中心に配設された有頂筒状をなし、頂部にあたる平面視円形の天板部２１と、天板部２１の周縁から下側に向かって延設された周壁部２２と、を有している。周壁部２２の下端は平面視円形の開口部２３が形成されており、開口部２３に口部２が挿入されるように構成されている。
【００１９】
周壁部２２の内周面２４における上側部分は、口部２の外周面に形成された雄ネジ３と螺合する雌ネジ２５が形成されたネジ部２６とされ、下側部分は雌ネジ２５が形成されていない平滑部２７とされている。また、平滑部２７には周方向に沿って例えば段差などによって形成される計量ライン２８が付されている。キャップ本体１１の開口部２３を上側に向けた状態で、内容物Ｘをキャップ本体１１に注入し、内容物Ｘを計量ライン２８に到達するまで注入すると、例えば内容物Ｘが１０ｍｌ注入されるように構成されている。
【００２０】
計量カップ１２はキャップ本体１１の天板部２１の上側に連設されている。具体的には、天板部２１の上面に上側に向かって接続壁部１３が突設され、接続壁部１３の上端に計量カップ１２が連結されている。
【００２１】
計量カップ１２は、内容物Ｘを注入可能な開口部３０を開閉可能な蓋部材３２を有している。
【００２２】
また、計量カップ１２は、開口部３０が前記径方向を向くように接続壁部１３の上端に連設されている。また、計量カップ１２は開口部３０と平行な断面形状が円形状になっている。具体的には、計量カップ１２は、軸線Ｌ１と平行に配された円形状の底板３３と、底板３３の周縁から前記径方向に立設された第一周壁部３４と、第一周壁部３４に連設され底板３３と平行に配された第一切替部３５と、第一切替部３５の周縁から計量カップ１２の内径が徐々に拡径する方向にテーパー状に形成された第二周壁部３６と、第二周壁部３６に連設され底板３３と平行に配された第二切替部３７と、第二切替部３７の周縁から前記径方向に立設された第三周壁部３８と、を備えている。つまり、第一切替部３５および第二切替部３７が形成された箇所には、それぞれ段差部４０ａ，４０ｂが形成されている。また、第三周壁部３８において、第二切替部３７と反対側の先端部が、開口部３０をなしている。なお、接続壁部１３は、計量カップ１２の全長（底板３３から第三周壁部３８まで）に亘って連設されている。
【００２３】
底板３３から第一切替部３５までの間に形成される空間が第一計量部４１をなし、底板３３から第二切替部３７までの間に形成される空間が第二計量部４２をなしている。例えば、第一計量部４１に収容される内容物Ｘの容量が１ｍｌ（小量）で構成され、第二計量部４２に収容される内容物Ｘの容量が５ｍｌ（中量）で構成されている。
【００２４】
また、計量カップ１２の第三周壁部３８における軸線Ｌ１の径方向一方端部には蓋部材３２が設けられている。第三周壁部３８と蓋部材３２との間には、折曲部４３が形成されており、蓋部材３２が計量部３１に対して軸方向を中心に回動可能に構成されている。つまり、蓋部材３２はキャップ本体１１と干渉することなく回動できるようになっている。また、計量カップ１２、折曲部４３および蓋部材３２は同一の材料で一体成形されている。
【００２５】
蓋部材３２は、その周縁部が第三周壁部３８に当接可能な大きさの円板形状に形成されている。また、蓋部材３２における折曲部４３が形成された側の径方向反対側には係止片４４が形成されている。この係止片４４は、第三周壁部３８における軸線Ｌ１の径方向他方端部に形成された係止凸部３９に係止されることで、開口部３０を蓋部材３２で閉塞できるようになっている。
【００２６】
次に、このように構成された計量キャップ１０を利用した容器１の内容物Ｘの注出（計量）方法について説明する。
内容物Ｘを注出する際は、図１に示すキャップ本体１１を把持し、このキャップ本体１１を周方向に回して容器１から計量キャップ１０を取り外す。このときは、計量カップ１２の開口部３０は蓋部材３２により閉塞されている。
【００２７】
続いて、図４に示すように蓋部材３２の係止片４４を係止凸部３９から外した後、蓋部材３２を回動して開口部３０を開放するとともに、計量カップ１２の開口部３０が鉛直上方を向くように配置した状態で、容器１の口部２を開口部３０の上方に配置する。そして、容器１を傾け、口部２から内容物Ｘを注出するとともに、計量カップ１２に内容物Ｘを注入する。
【００２８】
図５に示すように、計量カップ１２において、例えば内容物Ｘを１ｍｌ（小量）計量する場合には、計量カップ１２の第一計量部４１に内容物Ｘが充填されるまで注入する。つまり、内容物Ｘが第一切替部３５に形成された段差部４０ａまで満たされたときに、内容物Ｘが１ｍｌ（小量）計量されることとなる。
【００２９】
また、図６に示すように、計量カップ１２において、例えば内容物Ｘを５ｍｌ（中量）計量する場合には、計量カップ１２の第二計量部４２に内容物Ｘが充填されるまで注入する。つまり、内容物Ｘが第二切替部３７に形成された段差部４０ｂまで満たされたときに、内容物Ｘが５ｍｌ（中量）計量されることとなる。
【００３０】
さらに、図７に示すように、例えば内容物Ｘを１０ｍｌ（大量）計量する場合には、計量キャップ１０のキャップ本体１１を用いる。この場合、キャップ本体１１の開口部２３が鉛直上方を向くように配置した状態で、容器１の口部２を開口部２３の上方に配置する。そして、容器１を傾け、口部２から内容物Ｘを注出するとともに、キャップ本体１１の内部に内容物Ｘを注入する。そして、周壁部２２の内周面２４に付された計量ライン２８に内容物Ｘが到達するまで注入する。つまり、内容物Ｘが計量ライン２８まで満たされたときに、内容物Ｘが１０ｍｌ（大量）計量されることとなる。このとき、計量ライン２８は内周面２４の平滑部２７に形成されているため、目視しやすい。
【００３１】
また、使用後は、計量カップ１２の蓋部材３２を回動して開口部３０を閉塞し、キャップ本体１１を容器１の口部２に螺合した状態で保持する。
【００３２】
以上説明したように、本実施形態の計量キャップ１０によれば、計量カップ１２をキャップ本体１１の天板部２１に連設するとともに、側方（径方向）に計量カップ１２の開口部３０が向くように形成したため、計量キャップ１０で内容物Ｘを計量する際に、容器１と螺合されるネジ部２６が形成されていない計量カップ１２を用いることができる。したがって、計量カップ１２に付された目盛りなど（本実施形態における段差部４０ａ，４０ｂ）がネジ部２６と干渉することがなく、内容物Ｘの充填容量が読み取り易くなる。つまり、内容物Ｘの計量を容易に行うことができる。
【００３３】
また、計量カップ１２の開口部３０が側方に開口するように構成したため、計量キャップ１０で内容物Ｘを計量する際に、キャップ本体１１を左右いずれかの手で把持し、もう一方の手で容器１を持った状態で内容物Ｘを計量カップ１２内に注入することができる。つまり、安定した状態で内容物Ｘを計量することができる。なお、計量する際には、キャップ本体１１の軸方向が水平方向を向くように配置するとともに、計量カップ１２の開口部３０が鉛直上方を向くように配置する。
【００３４】
さらに、計量カップ１２の開口部３０が側方に開口するように構成したため、製品を販売するために店舗に陳列しても開口部３０は水平方向を向いている。したがって、製品にシュリンク包装を施さなくても計量カップ１２内に埃などが入り込むのを抑制することができる。
【００３５】
また、本実施形態の計量キャップ１０は、計量カップ１２に、計量される容量の大きさごとの段差部４０ａ，４０ｂを形成したため、内容物Ｘが段差部４０ａ，４０ｂまで注入されることにより所定量注入されたことを目視することができる。したがって、内容物Ｘの計量をさらに容易に行うことができる。
【００３６】
また、本実施形態の計量カップ１２は、開口部３０と平行な断面形状が円形状になるように構成したため、どの方向から計量カップ１２を目視しても、計量カップ１２の段差部４０ａ，４０ｂを確認することができる。したがって、内容物Ｘの計量がし易くなる。なお、計量カップ１２の段差部４０ａ，４０ｂに容量を示す目盛りなどをさらに付してもよい。
【００３７】
さらに、本実施形態の計量キャップ１０は、計量カップ１２に開口部３０を開閉可能な蓋部材３２を設けたため、計量カップ１２の未使用時に蓋部材３２で開口部３０を閉塞することができる。したがって、未使用時に計量カップ１２内に埃などが入り込むのをより確実に防止することができる。なお、この蓋部材３２は設けなくてもよい。
【００３８】
そして、本実施形態の計量キャップ１０は、キャップ本体１１の内周面２４に容器１と螺合される雌ネジ２５が形成されたネジ部２６と、雌ネジ２５が形成されていない平滑部２７と、を有するように構成し、平滑部２７に計量カップ１２で計量可能な容量よりも多い量を計量可能な計量ライン２８を形成したため、キャップ本体１１でも内容物Ｘの計量を行うことができる。したがって、計量可能な容量のバリエーションを増やすことができる。なお、この場合、キャップ本体１１の平滑部２７に計量ライン２８を形成するため、従来のようにネジ部２６と計量ライン２８とが干渉することはなく、計量ライン２８を容易に目視することができる。
【００３９】
以上、本発明に係る計量キャップの実施形態について説明したが、本発明は上記した実施形態に限定されるものではなく、その趣旨を逸脱しない範囲で適宜変更可能である。
【００４０】
例えば、上記した実施形態では、計量カップ１２の形状が、開口部３０と平行な断面形状が円形状になるように構成しているが、本発明は、断面形状が矩形になるように構成してもよい。
【００４１】
具体的には、図８〜図１１に示すように、計量キャップ１１０は、液状の内容物Ｘを収容する有底筒状の容器１の口部２に装着されるキャップ本体１１と、内容物Ｘの容量を計量可能な計量カップ１１２と、が一体に成形されている。なお、上記実施形態とキャップ本体の構成は同一であるため、同一の符号を付して詳細な説明は省略する。
【００４２】
計量カップ１１２はキャップ本体１１の天板部２１の上側に連設されている。計量カップ１１２は、内容物Ｘを注入可能な開口部１３０を開閉可能な蓋部材１３２を有している。
【００４３】
また、計量カップ１１２は、開口部１３０が前記径方向を向くように天板部２１に連設されている。また、計量カップ１１２は開口部１３０と平行な断面形状が長方形からなる矩形状になっている。具体的には、計量カップ１１２は、天板部２１の外周縁に沿うように平面視円弧状に形成され、天板部２１の上面に軸線Ｌ１方向に沿って立設された底板１３３と、底板１３３の上側端部を閉塞するように略半円形状に形成された第一周壁部１３４と、底板１３３および第一周壁部１３４に連設され開口部１３０と平行に配された第一切替部１３５と、第一切替部１３５の周縁から計量カップ１１２の断面積が徐々に大きくなる方向にテーパー状に形成された第二周壁部１３６と、第二周壁部１３６に連設され開口部１３０と平行に配された第二切替部１３７と、第二切替部１３７の周縁から前記径方向に立設された第三周壁部１３８と、を備えている。つまり、第一切替部１３５および第二切替部１３７が形成された箇所には、それぞれ段差部１４０ａ，１４０ｂが形成されている。また、第三周壁部１３８において、第二切替部１３７と反対側の先端部が、開口部１３０をなしている。
【００４４】
底板１３３から第一切替部１３５までの間に形成される空間が第一計量部１４１をなし、底板１３３から第二切替部１３７までの間に形成される空間が第二計量部１４２をなしている。例えば、第一計量部１４１に収容される内容物Ｘの容量が１ｍｌで構成され、第二計量部１４２に収容される内容物Ｘの容量が５ｍｌで構成されている。
【００４５】
また、計量カップ１１２の第三周壁部１３８における軸線Ｌ１の径方向一方端部には蓋部材１３２が設けられている。第三周壁部１３８と蓋部材１３２との間には、折曲部１４３が形成されており、蓋部材１３２が計量カップ１１２に対して軸方向を中心に回動可能に構成されている。つまり、蓋部材１３２はキャップ本体１１と干渉することなく回動できるようになっている。また、計量カップ１１２、折曲部１４３および蓋部材１３２は同一の材料で一体成形されている。
【００４６】
蓋部材１３２は、その周縁部が第三周壁部１３８に当接可能な大きさの長方形状に形成されている。また、蓋部材１３２における折曲部１４３が形成された側の径方向反対側には係止片１４４が形成されている。この係止片１４４は、第三周壁部１３８における軸線Ｌ１の径方向他方端部に形成された係止凸部１３９に係止されることで、開口部１３０を蓋部材１３２で閉塞できるようになっている。
【００４７】
このように構成した計量キャップ１１０においても、上記実施形態と同様に内容物Ｘを容易に計量することができる。
例えば内容物Ｘを１ｍｌ（小量）計量する場合には、図１２に示すように、計量カップ１１２の第一計量部１４１に内容物Ｘが充填されるまで注入する。つまり、内容物Ｘが第一切替部１３５に形成された段差部１４０ａまで満たされたときに、内容物Ｘが１ｍｌ（小量）計量されることとなる。
【００４８】
また、例えば内容物Ｘを５ｍｌ（中量）計量する場合には、図１３に示すように、計量カップ１１２の第二計量部１４２に内容物Ｘが充填されるまで注入する。つまり、内容物Ｘが第二切替部１３７に形成された段差部１４０ｂまで満たされたときに、内容物Ｘが５ｍｌ（中量）計量されることとなる。
【００４９】
さらに、例えば内容物Ｘを１０ｍｌ（大量）計量する場合には、図１４に示すように、計量キャップ１１０のキャップ本体１１を用いる。この場合は、上記実施形態と同様の方法で内容物Ｘを計量することができる。
【００５０】
また、前記各実施形態では、計量キャップ１０、１１０にネジ部２６を設け、計量キャップ１０、１１０が容器１の口部２に螺着された構成を示したが、これに代えて例えば、計量キャップ１０、１１０の内周面、および容器１の口部２の外周面にそれぞれ凹凸部を形成し、これらを互いに着脱自在に係合させるようにしてもよい。
【００５１】
その他、本発明の主旨を逸脱しない範囲で、上記した実施の形態における構成要素を周知の構成要素に置き換えることは適宜可能である。
【符号の説明】
【００５２】
１  容器
２  口部
１０，１１０  計量キャップ
１１  キャップ本体
１２，１１２  計量カップ
２１  天板部
２４  内周面
２６  ネジ部
２７  平滑部
２８  計量ライン
３０，１３０  開口部
３２，１３２  蓋部材
４０ａ，４０ｂ  段差部
Ｘ  内容物
【図１】
2010274978.tif 000003
【図２】
2010274978.tif 000004
【図３】
2010274978.tif 000005
【図４】
2010274978.tif 000006
【図５】
2010274978.tif 000007
【図６】
2010274978.tif 000008
【図７】
2010274978.tif 000009
【図８】
2010274978.tif 000010
【図９】
2010274978.tif 000011
【図１０】
2010274978.tif 000012
【図１１】
2010274978.tif 000013
【図１２】
2010274978.tif 000014
【図１３】
2010274978.tif 000015
【図１４】
2010274978.tif 000016